(57)【要約】【課題】簡易的であってもそれなりの品位等を備えており、御神札等を祀るのに相応しい物品受けを提供すること。【解決手段】下側から支えることにより御神札等が落下しないようにするための載置部材２０と上側から押えることにより御神札等の位置を保つようにするための固定部材３０からなり、載置部材２０と固定部材３０の内部には磁石４０が埋め込まれており、さらに、壁に御神札等を祀る際、位置決めするための針状突起物付き金属片５０を備えることを特徴とする物品受け１０とした。【選択図】図１
0003215111.tif 000002
【実用新案登録請求の範囲】
【請求項１】
和室、洋室を問わず、各家庭の壁に御神札を祀ることにより、簡易的な神棚としても使用することができる檜を素材とする物品受けであって、
下側から支えることにより前記御神札が落下しないようにするための載置部材と
上側から押えることにより前記御神札の位置を保つようにするための固定部材からなり、
前記載置部材と前記固定部材の内部には磁石が埋め込まれており、
さらに、壁に御神札を祀る際、位置決めするための針状突起物付き金属片を備えることを特徴とする物品受け。
【請求項２】
前記載置部材と前記固定部には其々溝が形成されていることを特徴とする請求項１に記載の物品受け。
【考案の詳細な説明】
【技術分野】
【０００１】  本考案は、簡易的な神棚としても使用することができる物品受けに関する。さらに言えば、神棚の無い家であっても手軽に御神札（おふだ）等を祀ることができる、即ち、シンプルなデザインの神棚としても使用することができる物品受けに関する。
【背景技術】
【０００２】  御神札（おふだ）は、神社等が氏子等に頒布する授与品であり、神社から下賜されるものの中で最も重要な神の璽（しるし）である。御神札は、年始等の１年で最も大切な参詣の時に、それまで家の中で祀ってあった御神札を神社に「お返し」し、新たに御神札を神社から頂いて持ち帰り、家の中で１年間大切に祀って家内安全や無病息災などを祈り、再度、御神札を神社に「お返し」し、新たに御神札を神社から頂いて来るということが毎年繰り返し行われる。【０００３】  一方、神棚は小型の神社を摸した宮形の中に、神社から下賜された御神札を設置して祀るための棚である。要するに、神棚とは神社等から頂いた御神札を納める場所である。御神札には神様の魂が宿るものとされているので、普通の棚や引き出しに仕舞っておく訳にはいかないものである。しかしながら、小型の神社を模倣した宮形のような本格的な神棚を各家庭に設置することは、本格的な神棚が高価であることより一般庶民には中々手を出し難い。それ以外にも、最近では和風の家屋よりも洋風の家屋が増えてきており、洋風の部屋に適したデザインが好まれる傾向にある。そこで、一般庶民であっても気軽に購入できるような、簡易的であってもそれなりの品位や品格等を兼ね備えており、洋風の部屋にも合う御神札を祀ることもできる物品受けがあれば良いと考えられていた。【０００４】  特許文献１には、鴨居のない洋室に祀ることができる簡易神棚を提供することを課題として、「台紙と写真に角穴を開け、小型の御札をはめ込み裏側に粘着テープで丁寧に固定し、表面は御札と写真は面一（つらいち）となり、一体化し神棚としたことを特徴とする簡易神棚（特許文献１：解決手段）」が開示されている。要するに、台紙を写真の裏に貼り合わせ、一か所に穴を設け、その穴に御神札を嵌め込むことができるようにした簡易神棚（特許文献１：発明の名称）が開示されている。
【先行技術文献】
【特許文献】
【０００５】
【特許文献１】特開２０１１−２３５０６５
【考案の概要】
【考案が解決しようとする課題】
【０００６】  特許文献１に係る発明は、確かに簡易的な神棚であることは間違いが無いが、台紙を写真の裏紙的に貼り合わせたものの上部の一角に角穴（神社等から下賜された御神札のサイズに合わせた大きさの穴）を設けて、角穴に御神札を嵌め込むような態様である。特許文献１に係る簡易神棚の設置方法は、「台紙の裏に両面テープを設ける」との記述があるので、要するに、壁面に両面テープで特許文献１に係る簡易神棚を壁面に貼るだけのものであると考えられる。確かに、簡易的な神棚でることに間違いは無いが、神棚としての品位、及び品格を備えているとはとても言い難いものである。【０００７】  本考案の目的は、簡易的な神棚としても使用できる程度の品位等を備えており、御神札等を祀るのに相応しい物品受けを提供することにある。
【課題を解決するための手段】
【０００８】  上記課題を解決するために、本願請求項１に記載した考案は、和室、洋室を問わず、各家庭の壁に御神札を祀ることにより、簡易的な神棚として使用することができる檜を素材とする物品受けであって、下側から支えることにより前記御神札が落下しないようにするための載置部材と上側から押えることにより前記御神札の位置を保つようにするための固定部材からなり、前記載置部材と前記固定部材の内部には磁石が埋め込まれており、さらに、壁に御神札を祀る際、位置決めするための針状突起物付き金属片を備えることを特徴とする物品受けであることを特徴とするものである。【０００９】  本願請求項２に記載した考案は、請求項１に記載した考案において、前記載置部材と前記固定部材には其々溝が形成されている物品受けであることを特徴とするものである。
【考案の効果】
【００１０】  本考案に係る物品受けによれば、下側から支えることにより御神札等が落下しないようにするための、内部に磁石が埋め込まれ載置部材と、上側から押えることにより御神札の位置を保つようにするための、内部に磁石が埋め込まれた固定部材から構成されている。さらに、壁面に御神札等を祀る際、位置決めするための、磁石の磁力により吸着される針状突起物付き金属片を備えている。【００１１】  従って、物品受けを壁面に祀る際、磁石の磁力により吸着される針状突起物付き金属片の針状突起物を壁面に差し込むことにより、載置部材（壁面の下側）と固定部材（壁面の上側）を御神札等のサイズ（主として縦方向の長さ）に合わせて位置決めをしてから設置することができる。要するに、載置部材と固定部材が分離しているので、其々の設置位置（床からの高さ）を自由に変更することができるので、どのようなサイズ（主に長さ）の御神札等にも対応することができるようになった。そして、載置部材により御神札等が落下しないようにすることができるし、固定部材により御神札等が壁面に対して平行、及び一定の距離を保つように設置することができるようになった。【００１２】  さらに、載置部材と固定部材には其々に対して、御神札等が嵌まる程度の幅を有する溝を形成することもできるので、其々の溝に御神札等を嵌め込むように設置することにより、少しの振動や外力等に対しても御神札等の設置位置を保つようにすることができるようになった。
【図面の簡単な説明】
【００１３】
【図１】本実施例に係る物品受けの（御神札等を設置した状態における）全体正面図、及び全体側面図である。
【図２】溝付きの載置部材と溝付きの固定部材の全体側面図である。
【考案を実施するための形態】
【００１４】＜物品受けの構造＞
以下、本考案に係る物品受け１０について、図１〜図２を参照しつつ詳細に説明する。図１は、本実施例に係る物品受け１０の御神札を設置した状態における全体正面図、及び全体側面図である。
【００１５】  本考案に係る物品受け１０は、和室、洋室を問わず、各家庭の壁面に御神札等を祀ることにより、簡易的な神棚としても使用することができる檜（例えば東濃檜等）を素材とする物品受け１０である。図１に記載したように、本実施例に係る物品受け１０は、下側から支えることにより御神札等が落下しないようにするための載置部材２０と、上側から軽く押さえることにより御神札等の位置（壁面との距離や壁面との平行）を保つようにするための固定部材３０を備えている。載置部材２０と固定部材３０は同じ形状をしたものを使用することができる。
【００１６】  物品受け１０に使用する素材は、簡易的ではあるものの神棚としても使用するものであるので、それなりの品位や品格等を備えることが必要である。従って、物品受け１０に使用する素材は、古来より神具として一般的に使用されてきた檜材（無垢材）、言い換えれば、神様廻りには最適と言われる檜材（無垢材）、による格調高い木工品であることに特徴がある。さらに説明すれば、物品受け１０に使用される檜は、檜の中でも高級であると言われている樹齢１５０〜３００年の檜の木に対し、柾目挽きをした檜材を素材として使用することもできる。このような檜材から製作された物品受け１０であれば、香りも良く、柾目が細かく、色は仄かにピンク色掛かっており、年月を経た場合であっても、色が落ち着きの有る上品な薄茶色になると言われており、神棚として使用したとしても品位や品格等を備えている。
【００１７】  物品受け１０を構成する部材の中でも主要な部材である載置部材２０と固定部材３０の内部には、檜材である載置部材２０と固定部材３０を加工することにより、磁石４０が埋め込まれている。載置部材２０と固定部材３０の内部において、磁石４０を左右対称になるようにバランス良く、載置部材２０と固定部材３０の其々に対して２個若しくはそれ以上埋め込むと、壁面に取り付ける際の安定性が得られるので好ましいと言える。
【００１８】  さらに、壁面に御神札等を祀る際、載置部材２０と固定部材３０の壁面における位置決めするために、本実施例においては、載置部材２０と固定部材３０の磁石４０が埋め込まれた位置に相対するように汎用品である画鋲（針状突起物付き金属片５０）を取り付ける態様になっている。
【００１９】  載置部材２０と固定部材３０のサイズは、巾１００ｍｍ程度、高さ３０ｍｍ程度、奥行き１５ｍｍ程度のブロック体（重さは４０ｇ）である。このような単純なブロック体であっても、物品受け１０は、載置部材２０により下側から御神札等が落下しないように支えられているし、固定部材３０により上側から御神札等が軽く押えられているので、充分に物品受け１０としての機能を果たすことができるのであるが、何らかの不可抗力が働くことにより、祀った御神札等が壁面の前方に移動してしまうことにより落下しないようにするために、図１側面図に記載したように、載置部材２０と固定部材３０に、ガード部７０としての形状（丸で囲った部分）を付加させても良い。
【００２０】  さらに、本実施例に係る物品受け１０は、図２に記載したように、載置部材２０と固定部材３０の其々に溝６０が形成されていても良い（かかる場合において載置部材２０のみに溝６０を形成しても良い）。図２（ａ）のように溝６０を形成することで御神札等の設置時における安定性を向上させることができる。さらに、図２（ａ）に記載したように溝６０とガード部７０を併用することで、予期せぬ不可抗力、例えば、大きな地震が発生した場合であっても御神札等が落下することが無いようにできる程度の安定性を獲得することができる。
【００２１】  ＜物品受けの設置方法＞
次に、本実施例に係る物品受け１０の設置方法について説明する。物品受け１０を壁面に設置する際は、載置部材２０と固定部材３０の其々に対して、磁石４０を埋め込んだ箇所に対応する部分に磁石４０の磁力を利用して画鋲（針状突起物付き金属片５０）を吸着させる。そして、壁面における物品受け１０の設置位置を決めて、壁面に画鋲（針状突起物付き金属片５０）ごと、載置部材２０を設置する。要するに画鋲（針状突起物付き金属片５０）を壁面に差し込む。載置部材２０の上に御神札等を載置した後、御神札等のサイズ（縦方向の長さ）に合わせて、載置部材２０と同じように画鋲（針状突起物付き金属片５０）ごと固定部材３０を設置する。要するに画鋲（針状突起物付き金属片５０）を壁面に差し込む。
【００２２】  ＜物品受けの効果＞
本考案によれば、御神札等を下側から支えることができる、内部に磁石が埋め込まれた載置部材２０を備えており、御神札等を上側から押えることができる、内部に磁石が埋め込まれた固定部材３０を備えており、さらに、針状突起物付き金属片を備えている。従って、針状突起物付き金属片５０として一般的に知られた汎用品である画鋲を壁に差し込むことにより、載置部材２０と固定部材３０を御神札等のサイズ（縦方向の長さ）に合わせて位置決めをして設置することで、御神札等が落下しないようにし、壁に対して一定の距離を保つように設置することができるようになった。
【００２３】  そして、図２に記載したように、載置部材２０と固定部材３０にはそれぞれ溝が形成されている（溝が形成されるのは、載置部材２０だけでも良い）ので、少しの振動に対しても祀った御神札等の位置を保つように設置することができるようになった。即ち、溝６０を形成することで御神札等の設置時における安定性を向上させることができるようになった。
【００２４】  さらに、図２（ｂ）のように溝６０とガード部７０を併用することで、より安定性を向上させることができるようになった。しかも、本考案に係る物品受け１０に使用される素材は、神様廻りには最適と言われる檜材（無垢材）であり、檜材による格調高い木工品であるので、簡易的な神棚であってもそれなりの品位や品格等を兼ね備えており、御神札を祀るのに相応しい神棚を提供することができるようになった。尚、本考案に係る物品受け１０は、御神札を祀る用途以外にも写真、色紙、ハガキ、絵、おみくじ、ＣＤ、レコード、記念品等の平板状の物品を部屋の壁に飾ることができる（写真、色紙、ハガキ、絵、おみくじ、ＣＤ、レコード、記念品等の平板状の物品を部屋の壁に飾る際は、檜以外の材料を使用することがある）。
【００２５】＜物品受けの変更例＞
本考案に係る物品受けは、上記実施形態の態様に何ら限定されるものではなく、載置部材、固定部材、磁石、針状突起物付き金属片、溝、ガード部等の構成を、本考案の趣旨を逸脱しない範囲で、必要に応じて適宜変更することができる。例えば、載置部材、及び固定部材の前面の形状は凸凹が無いフラットタイプ以外にも、載置部材、及び固定部材の前面にリブ（凸凹な形状）を形成することによるリブタイプであっても良い。
【産業上の利用可能性】
【００２６】  本考案に係る物品受けは、上記の如く優れた効果を奏するものであるので、シンプルなデザインの神棚としても使用することができる物品受けに関する分野で好適に用いることができる。
【符号の説明】
【００２７】  １０・・物品受け
２０・・載置部材
３０・・固定部材
４０・・磁石
５０・・針状突起物付き金属片
６０・・溝
７０・・ガード部
【図１】
0003215111.tif 000003
【図２】
0003215111.tif 000004